(57)【特許請求の範囲】
【請求項１】
鏡筒の前面を覆うようにして設けられ、前記鏡筒の前面に位置する閉位置と、前記閉位置から退避した位置にある、開位置との間を移動できるように構成されているバリアと、カメラ本体内の所定の位置に収納されていて、前記バリアが前記開位置にあるときに、前記所定の位置から前方へ繰り出すことができるように構成されている前記鏡筒とを備え、前記鏡筒が前記所定の位置から前方へ繰り出されると、前記バリアは、前記閉位置に移動することができないようにロックされるバリアロック機構を有するカメラにおいて、
前記バリアの前記開位置から前記閉位置への移動と連動して動作可能である連動部材と、前記鏡筒が前記所定の位置から前方へ繰り出されると、前記連動部材に対して前記連動部材の動作を阻止するように係合する係合部材とをカメラ本体内に備え、
前記カメラ本体内に、前記バリアの前記開位置と前記閉位置との間の移動に連動して、前記カメラ本体内に格納されているストロボ部の、前記カメラ本体内における位置が、変化するように構成されているバリアストロボ連動機構を有し、前記連動部材が、前記バリアストロボ連動機構を構成する歯車部材であって、該歯車部材は、前記係合部材の前方に位置し、また、前記歯車部材には前記係合部材と係合できる係合部が設けられていて、前記係合部は、前記バリアが前記開位置にあるときは前記係合部材と係合できる位置にあり、前記係合部材は、バネ部材によって前方へ付勢されていて、さらに、前記係合部材は、前記鏡筒の後端部によって当接される当接部を有し、前記鏡筒が前記カメラ本体内の前記所定の位置に収納されているときは、前記後端部が前記当接部に当接することによって、前記係合部材は、前記係合部に係合する位置より後方に位置し、前記鏡筒が前記所定の位置から前方へ繰り出されるときは、前記後端部が前記当接部から離れ、前記係合部材は、前方に移動し前記係合部と係合することを特徴とするカメラ。
【発明の詳細な説明】
【０００１】
【発明の属する技術分野】
本発明は、鏡筒がカメラ本体から繰り出されているときにはバリアの移動が阻止されるバリアロック機構を有するカメラに関する。
【０００２】
【従来の技術】
カメラを使用しない時には、撮影レンズが内蔵された鏡筒をカメラ本体内に引き込み、使用時にカメラ本体から前方へ繰り出すように構成されたカメラにおいて、撮影レンズを保護するために鏡筒の前面にバリアが設けられているものがある。このバリアには、特開昭５９−１６５０４０号公報等に開示されているように、鏡筒内部に設けられるタイプのものと、特開昭６０−１２２９３０号公報等に開示されているように、カメラ本体の外側に取り付けられ鏡筒とカメラ本体のカバーの一部を覆うように取り付けられるタイプのアウターバリアがある。このうち、前者はバリアを開閉するための構造を必要とすることから鏡筒が大きくなってしまい、その点において好ましくないことから、後者のアウターバリアがしばしば用いられる。
【０００３】
このようなアウターバリア（以下、バリアという）は、カメラの使用時にはカメラ前面に沿って鏡筒の前面から退避するように構成されている。鏡筒がカメラ本体から突出している状態で、誤って、バリアを閉じる動作を行うと、バリアが鏡筒の側面に衝突して鏡筒を傷つける恐れがあるので、バリアのそのような誤動作を防止するロック機構を有するカメラが特開平１−１３１５３９号公報において提案されている。この公報で開示されている誤動作を防止する機構は以下の内容である。鏡筒の近傍にカメラ本体を貫通する穴を開け、該穴にバリアの一部と係合する錠止手段である作動ピンを設ける。この作動ピンは鏡筒がカメラ本体内に収納されているときには鏡筒の後端部により後方に押されてカメラ本体の穴から突出していない状態であり、バリアは鏡筒側へ移動可能となる。一方、鏡筒がカメラ本体から繰り出されているときには、カメラ本体の穴からカメラ本体の前面に突出しているので、バリアが鏡筒側へ移動しようとしても、作動ピンがバリアを係止し、バリアの移動が阻止されるものである。
【０００４】
【発明が解決しようとする課題】
しかし、このようなバリアを直接係止する構造では、カメラ本体に穴を開けることから、埃等がカメラ本体内部に入りやすい。
【０００５】
本発明の目的は、鏡筒がカメラ本体から繰り出されているときにはバリアの移動が阻止されるバリアロック機構を有するカメラにおいて、カメラ本体に穴を開ける必要がなく、埃等が入ることを防止することができるカメラを提供することにある。
【０００６】
【課題を解決するための手段】
以上の課題を解決すべく、本発明は、鏡筒の前面を覆うようにして設けられ、前記鏡筒の前面に位置する閉位置と、前記閉位置から退避した位置にある、開位置との間を移動できるように構成されているバリアと、カメラ本体内の所定の位置に収納されていて、前記バリアが前記開位置にあるときに、前記所定の位置から前方へ繰り出すことができるように構成されている前記鏡筒とを備え、前記鏡筒が前記所定の位置から前方へ繰り出されると、前記バリアは、前記閉位置に移動することができないようにロックされるバリアロック機構を有するカメラにおいて、前記バリアの前記開位置から前記閉位置への移動と連動して動作可能である連動部材と、前記鏡筒が前記所定の位置から前方へ繰り出されると、前記連動部材に対して前記連動部材の動作を阻止するように係合する係合部材とをカメラ本体内に備えていることを特徴とする。
【０００７】
本発明によれば、鏡筒の前面を覆うようにして設けられ、前記鏡筒の前面に位置する閉位置と、前記閉位置から退避した位置にある、開位置との間を移動できるように構成されているバリアと、カメラ本体内の所定の位置に収納されていて、前記バリアが前記開位置にあるときに、カメラ本体から前方へ繰り出すことができるように構成されている前記鏡筒とを備え、前記鏡筒が前記所定の位置から前方へ繰り出されると、前記バリアは、前記閉位置に移動することができないようにロックされるバリアロック機構を有するカメラにおいて、バリアの移動と連動して動作可能である連動部材と、鏡筒が前記所定の位置から前方へ繰り出されると、前記連動部材に対して、前記連動部材の動作を阻止するように係合する係合部材とをカメラ本体内に備えていることから、鏡筒が前記所定の位置から前方へ繰り出されると、カメラ本体内において、係合部材によって連動部材の動きが阻止されて、それによって連動部材と連動するバリアの移動も阻止されて、閉位置に移動することができないようにロックされる。よって、カメラ本体に穴を開ける必要がない。
【０００８】
さらに、本発明は、前記カメラ本体内に、前記バリアの前記開位置と前記閉位置との間の移動に連動して、前記カメラ本体内に格納されているストロボ部の、前記カメラ本体内における位置が、変化するように構成されているバリアストロボ連動機構を有し、前記連動部材が、前記バリアストロボ連動機構を構成する歯車部材であって、該歯車部材は、前記係合部材の前方に位置し、また、前記歯車部材には前記係合部材と係合できる係合部が設けられていて、前記係合部は、前記バリアが前記開位置にあるときは前記係合部材と係合できる位置にあり、前記係合部材は、バネ部材によって前方へ付勢されていて、さらに、前記係合部材は、前記鏡筒の後端部によって当接される当接部を有し、前記鏡筒が前記カメラ本体内の前記所定の位置に収納されているときは、前記後端部が前記当接部に当接することによって、前記係合部材は、前記係合部に係合する位置より後方に位置し、前記鏡筒が前記所定の位置から前方へ繰り出されるときは、前記後端部が前記当接部から離れ、前記係合部材は、前方に移動し前記係合部と係合することを特徴とする。ここで、係合部とは、例えば凹部が挙げられる。ストロボ部とは、ストロボ発光を行うものである。また、「バリアの前記開位置と前記閉位置との間の移動に連動して、前記カメラ本体内に格納されているストロボ部の、前記カメラ本体内における位置が、変化する」とは、例えば、バリアが閉状態ではカメラ本体内に格納されていてストロボ発光できない状態のストロボ部が、バリアが閉位置から開位置に移動すると、ストロボ部がこれに連動してカメラ本体から突出して、ストロボ発光できるようになることである。
【０００９】
従って、本発明によれば、カメラ本体内にバリアストロボ連動機構を有し、バリアストロボ連動機構を構成する、連動部材である歯車部材は、係合部材の前方に位置し、この歯車部材には、バリアが開位置にあるときに係合部材と係合できる位置にある係合部が設けられていて、鏡筒が前記カメラ本体内の前記所定の位置に収納されているときは、前記後端部が係合部材の当接部に当接することによって、係合部材は、バネ部材の付勢力に抗して、前記係合部に係合する位置より後方に位置し、鏡筒が前記所定の位置から前方へ繰り出されるときは、前記後端部が前記当接部から離れ、係合部材は、前記バネ部材の付勢力によって、前方に移動し前記係合部と係合する。したがって、鏡筒がカメラ本体内の前記所定の位置に収納されているときは、係合部材は係合部に係合しないので歯車部材も動作することができ、バリアも移動することができるが、鏡筒がカメラ本体内の所定の位置から前方へ繰り出されると、カメラ本体内に設けられている歯車部材の動きが阻止されて、それと連動するバリアの移動も阻止され、閉位置に移動することができないようにロックされる。よって、このような構成を有するバリアロック機構であれば、カメラ本体に穴を開ける必要がない。
【００１０】
【発明の実施の形態】
以下、本発明のバリアロック機構を有するカメラについて図面に基づいて説明する。
本発明に係るカメラが有するバリアロック機構は、カメラ本体が有するバリアストロボ連動機構の一部の動きを阻止することによって、バリアの誤動作を防止するものである。バリアロック機構について説明する前に、バリアストロボ連動機構について説明する。
【００１１】
図１は本発明のカメラのカメラ本体の前カバーが一部破断した状態の正面図、図２は図１に示すカメラ本体１のＭ−Ｍ線に沿った一部省略している側断面図、図３は図１に示すカメラ本体１のＮ−Ｎ線で沿った内面図である。
本発明のカメラが有するバリアストロボ連動機構は、ストロボ発光を行うストロボ部がバリアの動きに連動して、カメラ本体に格納された状態と、突出した状態になるように構成されているものである。
【００１２】
図１に示すようにカメラ本体１内のほぼ中央の所定の位置には撮影レンズを内蔵する鏡筒２４が内蔵されている。この鏡筒２４は、図示しない駆動モータを備え、光軸方向に平行して前後に移動可能であり、後述するバリア３が鏡筒２４の前面から退避すると、カメラ本体１に備えられたスイッチ等を操作することにより、カメラ本体１から繰り出され、また逆にバリア３が元の位置に戻る前にカメラ本体１に繰り込まれて格納されるようになっている。
【００１３】
図２、図３に示すように、カメラ本体１の正面部分の、バリア３が動作する範囲は前カバー２によって覆われている。この前カバー２の上部には、ガイド凸部２ａが横方向に沿って形成され、前カバー２の下端部２ｂはバリア３の凹部３ｂに填め合わせることができる形状となっている。
また、前カバー２には、ストロボ部１１のガイド孔１１ｅが取り付けられる円形リブ１５、１６が縦方向に離間して立設されている。円形リブ１５及び１６は、それぞれビス穴１５ａ、１６ａを有する。
円形リブ１５及び１６に填め合わされるビス１３及び１４は、それぞれ、ビス穴１５ａ、１６ａに填め合わせることができる丸棒状の固定部１３ａ、１４ａと、該ビス穴１５ａ、１６ａの端部を覆うことができる直径を有する止部１３ｂ、１４ｂよりなる。
【００１４】
バリア３は、台形状の平板であり、撮影しないときは鏡筒２４の前面にあって（閉状態）、これを保護する。図１及び図２に示すように、バリア３の裏側の上部には、取付溝３ａが横方向に形成されている。また、バリア３の下部は裏側に向かって略コの字型であって、前カバー２の下端部２ｂを填め合わせることができる凹部３ｂが形成されている。また、凹部３ｂを画成する端部の上向きの端面には、ピニオン４の歯と噛み合うラック部３ｃが設けられている。そして、図２に示すように、取付溝３ａをガイド凸部２ａに、凹部３ｂに下端部２ｂを填め合わせることによって、バリア３は前カバー２に取り付けられる。この状態で、バリア３は前カバー２のガイド凸部２ａと下端部２ｂに沿って、手動で、図１の仮想線で示される位置まで摺動して開状態に位置するように構成されている。
【００１５】
本実施形態例のカメラのバリアストロボ連動機構は、歯車機構１０を含み、該歯車機構１０は、前述のラック部３ｃ、このラック部３ｃと噛み合うピニオン４、該ピニオン４と噛み合う中ギア５、中ギア５と同軸であり中ギア５が回転するとそれに伴って同一回転する小ギア６、及び該小ギア６と噛み合う駆動ギア７（連動部材）により構成されている。これらのピニオン４、中ギア５、小ギア６及び駆動ギア７は、平板である取付板８に対して、それぞれの中心を軸にして回動可能であるように固定されている。
この歯車機構１０は、バリア３が摺動して開状態になることに伴って、バリア３に形成されているラック部３ｃが共に横方向に動くと、ラック部３ｃと噛み合っているピニオン４が回転し、その回転が中ギア５、小ギア６及び駆動ギア７の順に伝達されて、駆動ギア７が反時計方向に回転するように構成されている。
【００１６】
連動部材である駆動ギア７の前面には、突部９が設けられている。この突部９は、バリア３が閉状態では、図１の実線で示す位置でストロボ部１１の延出部１１ｃの上縁部１１ｄに当接して、ストロボ部１１を係止している。また、バリア３が開状態になるときには、駆動ギア７の回転にしたがって、突部９もともに回転し図１の仮想線の位置に移動する。
また、駆動ギア７の後面には、後述する係合レバー２０の係止部２０ｂが嵌入することで係合する、係合部である嵌合穴７ａが形成されている。この嵌合穴７ａは、バリア３が閉状態では、図１の点線で示す位置にあり、バリア３が開状態になると、駆動ギア７の回転とともに、後述する係合レバー２０の係止部２０ｂが嵌入できるように、図１の仮想線で示す位置に移動する。駆動ギア７は、係止部２０ｂが嵌合穴７ａに嵌入すると、係止されて回転が阻止されるように構成されている。歯車機構１０は、回転を伝達することで全体が動作するので、駆動ギア７が回転不能になれば、歯車機構１０全体が動作できなくなり、バリア３もその動きがロックされ摺動することができないようになっている。
【００１７】
カメラ本体１に備えられているストロボ部１１は、図１、図２に示すように、図示しないシャッターに連動して発光する放電管等が含まれている、箱体である発光部１１ａと、発光部１１ａの右前部から延出する前板部１１ｂとから構成されていて、この前板部１１ｂが前カバー２の後ろ側に位置する状態でカメラ本体１内にある。
前板部１１ｂの左側には横方向に延出する延出部１１ｃが形成されていて、該延出部１１ｃの上縁部１１ｄにおいて突部９が当接することになる。
また、この前板部１１ｂには、長孔なガイド孔１１ｅが形成されている。このガイド孔１１ｅに、前カバー２に形成されている円形ビス１５、１６を填め合わせる。そして、図２に示すように、この状態でビス穴１５ａ、１６ａに、固定部１３ａ、１４ａと止部１３ｂ、１４ｂとからなるビス１３、１４を、止部１３ｂ、１４ｂがビス穴１５ａ、１６ａの端部に当接するように填め合わせ、これによってストロボ部１１が上下方向に可動な状態で前カバー２に取り付けられる。
前板部１１ｂの右下端部には、バネ１２が取り付けられる突起１１ｆが形成されている。
【００１８】
バリアストロボ機構に備えられるバネ１２は、その上端部がカメラ本体１の壁部に立設された図示しないピンに係止され、その下端部は突起１１ｆに係止されることによって固定され、バネ１２は、ストロボ部１１を上方向に付勢している。
【００１９】
したがって、突部９が図１の実線の位置にあるときには、突部９が上縁部１１ｄに当接することによって、ストロボ部１１は、バネ１２の付勢力に抗して係止され上方向に移動するのを押さえ付けられているので、カメラ本体１内に格納された状態になる。しかし、突部９が、駆動ギア７の回転によって図１の仮想線の位置に移動すると、元の位置での係止が外れてバネ１２の付勢力により上方に移動して、カメラ本体１から発光部１１ａが突出した状態になるように構成されている。
【００２０】
なお、このカメラでは、バリア３が閉状態のときには、カメラ本体１に備えられている図示しないレリーズボタンを押圧しても、測距、測光及びシャッターの開閉等のシーケンスは行われない。
【００２１】
以上のような構成を有する本発明のカメラの動作について説明する。
まず、バリア３が閉状態のときには、突部９は、図１の実線の位置にあり、そこでストロボ部１１に形成されている延出部１１ｃの上縁部１１ｄに当接することによって、ストロボ部１１をバネ１２の付勢力に抗して係止しているので、ストロボ部１１はカメラ本体１内に格納された状態である。
カメラの使用者が、撮影のため、閉状態のバリア３を手動で横方向（図１右方向）に摺動させ開状態にすると、バリア３の下部に設けられているラック部３ｃが横方向に動き出す。ラック部３ｃが動き出すと、これと噛合するピニオン４が反時計方向に回転し、その回転は中ギア５、小ギア６、駆動ギア７の順に伝達される。これによって、駆動ギア７が、反時計回りに回転し駆動ギア７に取り付けられている突部９も共に回転し、図１の仮想線の位置に移動する。この移動によって、突部９による元の位置におけるストロボ部１１の係止が解除されるので、ストロボ１１はバネ１２の付勢力によって、上方に移動しカメラ本体１から発光部１１ａが突出することになる。
【００２２】
撮影終了後は、バリア３を手動で元の閉状態に戻すことによって、バリア３が開状態になるときとは逆方向の回転が、ピニオン４、中ギア５、小ギア６、駆動ギア７に伝達されると、突部９は上縁部１１ｄに当接した状態で駆動ギア７と共に回転するので、ストロボ部１１が下方に押し下げられて、カメラ本体１内に格納される。
【００２３】
なお、上記とは異なり、誤ってストロボ部１１の上部を押さえ付けてストロボ部１１をカメラ本体１内に格納しようとした場合、ストロボ部１１はバネ１２の付勢力に抗して下方に押し下げられるが、その際、突部９には全く力がかからず、単に突部９の位置が発光部１１ａと延出部１１ｃとの間で相対的に移動するだけなので、歯車機構１０に無理な力が加わることはない。
【００２４】
次に、バリアロック機構について説明する。
すなわち、このバリアロック機構は、バリア３が開状態のとき、鏡筒２４がカメラ本体１から繰り出された状態にあるとき、バリア３が閉状態の位置に戻ることを阻止するものである。
図４及び図５は、図１のカメラの、Ｌ−Ｌ線に沿った要部断面図である。図４及び図５において、左端には鏡筒２４の一部が示されている。
図１、図４及び図５に示すように、カメラ本体１の鏡筒２４と駆動ギア７の間には、駆動ギア７の嵌合部７ａに係合する係合レバー２０が設けられている。この係合レバー２０は、支持部２０ａ、係止部２０ｂ、当接部２０ｃ及び突出部２０ｄとからなる。
支持部２０ａは、長方形状の板材であって、その長辺方向が鏡筒２４の動作方向に平行している。
係止部２０ｂは、支持部２０ａにほぼ直交するように、支持部２０ａの前端に上下方向の断面が逆Ｌ字型になるように形成されていて、駆動ギア７の嵌合穴７ａに嵌入することができる。
当接部２０ｃは、支持部２０ａの後端から鏡筒２４に向かって延出していて支持部２０ａとほぼ直交し、鏡筒２４がカメラ本体１内に収納されているときには、その前面において、鏡筒２４の後端部２４ａによって当接されるようになっている。これによって、バネの付勢力に抗して、係合レバー２０は、係止部２０ｂの前端部が駆動ギア７の後面に接触しない位置で固定される。また、鏡筒２４がカメラ本体１から繰り出されると、当接部２０ｃの前面は、カメラ本体１内の固定部２３の後端によって当接されるようになっている。
突出部２０ｄは、係止部２０ｂが接合している部分の後方部分から、後方に突出するようにＬ字型に形成されていて、その後端にレバーバネ２１が取り付けられる。
支持部２０ａ、係止部２０ｂ及び当接部２０ｃは、上下方向の幅と、厚さにおいて、同一であるが、突出部２０ｄは、図１の点線で示すようにこれらよりも上下方向の幅が狭くなるように形成されている。
【００２５】
レバーバネ２１は、鏡筒２４の動作方向にほぼ平行するように、その前端部が突出部２０ｄに係止され、後端部がカメラ本体１に対して固定された位置にある取付部材２２に係止されている。そして、このレバーバネ２１は、突出部２０ｄを介して係合レバー２０をカメラ本体１の前方向に付勢している。
【００２６】
図４、図５において符号２３は、鏡筒２４を保持している筒型の固定部である。該固定部２３は、嵌合穴７ａに嵌入した状態の係合レバー２０の当接部２０ｃに、略当接するような位置に設けられている。
【００２７】
次に、上記構成のバリアロック機構の動作について説明する。
バリア３が閉状態のときには、鏡筒２４が図４の位置にあり、係合レバー２０は、当接部２０ｃが鏡筒部４の後端部２４ａによって当接されているので、レバーバネ２１の付勢力に抗して図４に示す位置にある。
バリア３が開状態になると、前述のように、駆動ギア７が、反時計回りに回転して、嵌合穴７ａが、図１の仮想線の位置に、つまり係止部２０ｂの前に移動してくる。この状態では、係合レバー２０の係止部２０ｂは、図４の位置にあるので嵌合穴７ａに係合することはできない。
次に、鏡筒２４が、所定の操作によってカメラ本体１内から前方に繰り出される。これによって、鏡筒２４の後端部２４ａは当接部２０ｃから離れ、係合レバー２０はレバーバネ２１の付勢力によって前方へ移動することができ、前方に位置している嵌合穴７ａに嵌入する。このとき、当接部２０ｃの前面が固定部２３の後端によって当接された状態になる。
駆動ギア７は、嵌合穴７ａに係合レバー２０が係合することによって、回転が阻止されている。これによって歯車機構１０全体が動作することができないことから、撮影者が誤ってバリア３を閉状態にしようとしても、バリア３もその動きがロックされて摺動することができなくなる。
【００２８】
撮影終了後、鏡筒２４が所定の操作でカメラ本体１内に繰り込まれると、鏡筒２４の後端部２４ａによって、当接部２０ｃが後方に押されて、係止部２０ｂが嵌合穴７ａから抜けて、係合レバー２０による駆動ギア７の係止が解除される。これによって、駆動ギア７は回転可能になり、歯車機構１０全体も動作可能になり、バリア３を閉状態にすることができる。
【００２９】
以上のバリアロック機構を有するカメラによれば、鏡筒２４の前面を覆うようにして設けられ、鏡筒２４の前面に位置する閉位置と、閉位置から退避した位置にある、開位置との間を移動できるように構成されているバリア３と、カメラ本体１内の所定の位置に収納されていて、前記バリア３が開位置にあるときに、前方へ繰り出すことができるように構成されている鏡筒２４とを備え、鏡筒２４が前記の所定の位置から前方へ繰り出されると、バリア３は、閉位置に移動することができないようにロックされるバリアロック機構を有するカメラにおいて、カメラ本体１内に、バリア３の開位置と閉位置との間の移動に連動して、カメラ本体１内に格納されているストロボ部の、カメラ本体１内における位置が、変化するように構成されているバリアストロボ連動機構を有する。このバリアストロボ連動機構を構成する歯車部材である駆動ギア７は、係合レバー２０の前方に位置し、また、駆動ギア７には係合レバー２０と係合できる嵌合部７ａが設けられていて、嵌合部７ａは、バリア３が開位置にあるときは係合レバー２０と係合できる位置にあり、係合レバー２０は、レバーバネ２１によって前方へ付勢されていて、さらに、係合レバー２０は、鏡筒２４の後端部２４ａによって当接される当接部２０ｃを有する。そして、鏡筒２４がカメラ本体１内の前記の所定の位置に収納されているときは、後端部２４ａが当接部２０ｃに当接することによって、係合レバー２０は、レバーバネ２１の付勢力に抗して、嵌合部に係合する位置より後方に位置し、鏡筒２４が前記の所定の位置から前方へ繰り出されるときは、後端部２４ａが当接部２０ｃから離れ、係合レバー２０は、レバーバネ２１の付勢力によって、前方に移動し駆動ギア７の回転を阻止するように嵌合部７ａと係合する。
したがって、鏡筒２４がカメラ本体１内に収納されているときは、係合レバー２０は嵌合部に係合しないので駆動ギア７も回転することができ、バリア３も移動することができるが、鏡筒２４がカメラ本体１内の所定の位置から前方へ繰り出されると、カメラ本体１内に設けられている駆動ギア７の回転が阻止されて、それと連動するバリア３の移動も阻止され、閉位置に移動することができないようにロックされる。このような構成を有するバリアロック機構であれば、カメラ本体１に穴を開ける必要がなく、埃等が入ることを防止することができる。
【００３０】
なお、上記の実施の形態例においては、本発明のカメラが有するバリアロック機構は、バリアストロボ連動機構のうちの歯車機構１０の駆動ギア７の回転を阻止するものであったが、このバリアストロボ連動機構の他の部材の動作を阻止するようなものであってもよい。
また、バリアストロボ連動機構の一部の動きを阻止するものでなくてもよく、要は、バリアの動きと連動しているカメラ本体内に設けられている部材を介して、鏡筒の位置に応じてバリアの動きを阻止するように構成されていればよい。
【００３１】
【発明の効果】
本発明のカメラによれば、バリアロック機構を有していても、カメラ本体に穴を開ける必要がなく、埃等が入ることを防ぐことができる。さらに、カメラ本体内にバリアストロボ機構を有していて、このバリアストロボ機構を構成する歯車部材の動きを阻止することから、バリアロック機構を有していても、カメラ本体に穴を開ける必要がなく、埃等が入ることを防ぐことができる。
【図面の簡単な説明】
【図１】本発明のカメラの前カバーが一部破断した状態の正面図である。
【図２】図１に示すカメラのＭ−Ｍ線に沿った側断面図であり、小ギア及び中ギアを省略している図である。
【図３】図１に示すカメラのＮ−Ｎ線で沿った要部のみを詳細に示した内面図である。
【図４】図１のカメラの、Ｌ−Ｌ線に沿った要部断面図であり、バリアが閉状態で鏡筒がカメラ本体内に収納された状態を示している。
【図５】図１のカメラの、Ｌ−Ｌ線に沿った要部断面図であり、バリアが開状態で鏡筒がカメラ本体から繰り出されようとしている状態を示している。
【符号の説明】
１      カメラ本体
２      前カバー
３      バリア
３ｃ    ラック部
４      ピニオン
５      中ギア
６      小ギア
７      駆動ギア（連動部材）
７ａ    嵌合穴（係合部）
９      突部
１０    歯車機構
１１    ストロボ部
１２    バネ
２０    係合レバー（係合部材）
２０ｂ  係止部
２０ｄ  突出部
２１    レバーバネ
２４    鏡筒
【図１】
0003920967.tif 000002
【図２】
0003920967.tif 000003
【図３】
0003920967.tif 000004
【図４】
0003920967.tif 000005
【図５】
0003920967.tif 000006